(57)【特許請求の範囲】
【請求項１】
円柱状の胴部を有する商品を吊り下げ陳列するための吊り下げ具であって、
前記吊り下げ具は胴部が挿通されるほぼ均一幅をした環状の帯部と前記帯部の上縁に備えられた吊下片を有し、
前記吊下片は吊り下げられた商品の前傾が妨げられないように前記帯部に備えられ、
前記帯部は商品を保持する力を発生させる上縁方向に凸となった曲線部を当該帯部の下縁に備えたことを特徴とする吊り下げ具。
【請求項２】
前記帯部はその上縁に下縁方向に凸となった曲線部を備えたことを特徴とする請求項１に記載の吊り下げ具。
【請求項３】
前記吊下片は当該吊下片の両側が切り欠かれたくびれ部を備えたことを特徴とする請求項１又は２の何れか１項に記載の吊り下げ具。
【請求項４】
前記吊下片は幅狭の矩形状であることを特徴とする請求項１又は２の何れか１項に記載の吊り下げ具。
【請求項５】
前記吊下片は吊り下げられた商品を前傾させるための折り目及び／又は上に凸となった切込みを備えたことを特徴とする請求項１〜４の何れか１項に記載の吊り下げ具。
【発明の詳細な説明】
【技術分野】
【０００１】
本発明は円柱状の商品を吊り下げて陳列するための吊り下げ具に関する。
【背景技術】
【０００２】
商品を陳列するに際し、吊り下げ陳列を可能とする吊り下げ具が種々提案されている。例えば、特開平１１−１１３６９９号公報（特許文献１）には、野球のバットのような端部に径方向に突出した突出部を有する棒状商品を陳列するための吊り下げ具が開示されている。この吊り下げ具は１枚の薄板状の可撓性を有する巻き付け片からなる。この巻き付け片をバットの突出部近傍のテーパ状になった部分に巻き付け、巻き付けた巻き付け片の両端に開設した孔をフックに引っ掛けることによって、バットをほぼ垂直に吊り下げる。
【０００３】
特開平９−３０５３３号公報（特許文献２）や実用新案登録第３０６７２４３号公報（特許文献３）、特開２００１−３３５０６３号公報（特許文献４）には、それぞれ１枚の可撓性を有する薄板からなる巻き付け片の上縁に、吊り下げ用の孔を設けた吊下片を備えた吊り下げ具が開示されている。これらの吊り下げ具は、巻き付け片を略円柱状をした商品に密着させるようにして巻き付け、その両端を接着剤やテープなどによって固定することにより、商品を吊り下げ陳列させている。
【特許文献１】特開平１１−１１３６９９号公報
【特許文献２】特開平０９−３０５３３号公報
【特許文献３】実用新案登録第３０６７２４３号公報
【特許文献４】特開２００１−３３５０６３号公報
【発明の開示】
【発明が解決しようとする課題】
【０００４】
しかしながら、特許文献１の吊り下げ具は、吊下片の上縁がバットの突出部を支えることによりバットを吊り下げているので、スプレー缶などのように胴部がほぼ円柱状のものであれば抜け落ちてしまい、吊り下げ陳列することはできない。
【０００５】
また、特許文献２〜４の吊り下げ具では、円柱状巻き付け片を商品に巻き付け、その巻き付け力によって商品を吊り下げているにすぎないので、巻き付け力が弱いとたやすく商品が抜け落ちてしまうだけでなく、たとえ吊り下げられたとしても経時的に巻きつけ力が低下し、抜け落ちる恐れがあった。それに、巻き付け片の両端を接着剤等で固定しなければならないので、陳列作業に手間が掛かるという問題もあった。
【０００６】
このとき、作業性を高めるために、予め巻き付け片の両端を固定して環状の巻き付け部材とすることも考えられる。しかしながら、商品への巻き付け力を高めようとすれば、商品へ取り付けが困難になる。一方、取り付けやすくするために巻き付け部材の径を大きくすると、巻き付け力が弱くなるのでたやすく商品が抜け落ち、吊り下げ陳列できないという問題を生じる。
【０００７】
本発明は上記問題点に鑑みてなされたものであって、本発明の目的は、円柱状の商品を吊り下げ陳列する際に、その作業性を高めるとともに商品の落下を確実に防止する吊り下げ具を提供することにある。
【課題を解決するための手段】
【０００８】
本発明の吊り下げ具は、円柱状の胴部を有する商品を吊り下げ陳列するための吊り下げ具であって、胴部が挿通されるほぼ均一幅をした環状の帯部と前記帯部の上縁に備えられた吊下片を備え、前記吊下片を吊り下げられた商品の前傾が妨げられないように前記帯部に備えるとともに、前記帯部に商品を保持する力を発生させる上縁方向に凸となった曲線部を当該帯部の下縁に備えることにしている。
【発明の効果】
【０００９】
本発明の吊り下げ具によると、商品に帯部を装着して吊下片をフック等に吊り下げるだけで商品の抜け落ちが阻止され、至極簡単な作業により筒状商品の吊り下げ陳列が可能になる。
【発明を実施するための最良の形態】
【００１０】
添付された図面を参照しながら、本発明について詳細に説明する。また、本発明は下記の実施形態に示されたものに限定されることのないのは言うまでもない。
【００１１】
図１は本発明の一実施形態である吊り下げ具の斜視図、図２は当該吊り下げ具の正面図、図３はその背面図、図４はその側面図、図５はその展開図、図６は商品へ装着した状態を示す側面図、図７は商品を吊り下げた状態を示す側面図である。
【００１２】
本発明に係る吊り下げ具１は、商品を吊り下げて陳列するために用いられるものであって、円柱状をした商品１００について用いられるものである。吊り下げ具１は、通例、商品１００の上部に取り付けられ、吊り下げ具１が取り付けられた商品１００は、図７に示すように商品１００が前傾するように吊り下げ陳列される。ここで、本発明に言う円柱状の商品１００とは、胴部１０１が円柱状になっている形態の商品１００をいい、例えば図６や図７に示すように、スプレー缶のように胴部１０１がほぼ円柱状となっている商品１００のみならず、胴部１０１が横断面ドーナツ状をした円筒状の商品１００を含む概念である。また、横断面が真円のみならずわずかに楕円となった商品１００をも含む概念である。すなわち、この吊り下げ具１は商品１００の円柱状をしたいわゆる胴体部分に取り付けられて使用されるものであって、商品１００の上方又は下方から吊り下げ具１を装着できれば、例えば手で操作するノズルが商品１００の上部に備えられている商品１００や商品１００の下端に缶の強化をした環状の接合部を有するスプレー缶のような商品１００にも使用できる。また、コーヒ缶の様に全体が円柱をした商品１００にも使用できるのは言うまでもない。
【００１３】
吊り下げ具１は、その商品１００の胴部１０１に取り付けられる環状の帯部１０と、当該帯部１０の上縁１３に延設された吊下片２０を有する。吊下片２０は陳列台に備えられたフック２００に引っ掛けるための孔２１を備えている。
【００１４】
吊下片２０は図示例の吊り下げ具１では帯部１０と一体に作製されており、吊下片２０及び帯部１０は、例えば図５の展開図に示すように、１枚のプラスチックシートなどのシート状物を切断加工して作製される。吊下片２０は、吊下強度や吊下片２０への表示を考慮して幅広に形成されており、帯部１０からの延設位置近傍において、吊下片２０の左右端が曲線状に切り欠かれた幅狭のくびれ部２３を備えている。吊下片２０の延設位置よりも上方、くびれ部２３の縦方向中程には、商品１００を前屈させやすくするための直線状の折り目２５が形成されている。この結果、シート状物の剛性に妨げられることなく延設位置近傍において、吊り下げられた商品１００が前傾できるようになっている。すなわち、この吊下片２０は商品１００の前傾が妨げられないように、吊下片２０の基端部が幅狭になっているとともに、この基端部近傍の幅方向中程に前傾を助ける折り目２５を備えている。もっとも、商品１００が前傾できるような構成であれば、吊下片２０を別体に作製し、帯部１０に接着剤やテープ状接合部材などによって一体化させても差し支えない。また、折り目２５の形状も直線状に限らず、例えばＹ字形状にしてもよい。
【００１５】
帯部１０はその両端が接着剤等によって固定され、商品１００の取り付け時には予め環状に形成されている。このとき、帯部１０の内径は、商品１００の胴部１０１の外径よりもわずかに大きく、商品１００の上方又は下方から帯部１０を通すことができる程度の大きさである。ここにおいて帯部１０の内径とは、帯部１０の横断面における直径を意味する。つまり、わずかな力で困難なく、帯部１０を商品１００の上方（又は下方）から所望する箇所に取り付けることができればよく、好ましくは、商品１００を直立させて置いた際に、図６に示すように吊り下げ具１が落下しないか、衝撃を与えると簡単に落下する程度の大きさである。もっとも、それよりも大きく、商品１００を直立させた状態で自然落下するような大きさでも差し支えない。ただし、胴部１０１の外径よりもかなり大きくなれば、帯部１０の幅を大きくする必要を生じたり、吊り下げ陳列することができなくなる。具体的に例示すれば、胴部１０１の外径によっても異なるが、帯部１０の内径が胴部１０１の外径よりも０．１ｍｍ程度大きければ困難なく取り付けることができ、１．３ｍｍ程度よりも大きくなると商品１００が落下して吊り下げ陳列ができないことが多い。帯部１０を構成するシート片３０の合わせ目３１は、吊り下げ具１の正面よりも側面、好ましくは下記に述べる曲線部１１と重ならない箇所や背面に位置させる。
【００１６】
帯部１０は曲線部１１が設けられる領域を除いてはほぼ均一幅に作製される。その幅は、商品１００の重量やその重心、胴部１０１の外径、帯部１０に設けられる曲線部１１の形状などによっても異なり、これらの要因に勘案して適宜設定される。具体的にその例を挙げると、帯部１０の幅は、胴部１０１、つまり、商品１００の外形が円柱状となった部分、図示した例ではいわゆる肩口から底まで高さの約１／５〜１／２の長さである。
【００１７】
帯部１０は下縁１２正面が切り欠かれ、帯部１０の下縁１２にその上縁１３方向に凸となった一つの楕円弧状の曲線部１１が、胴部１０１の円周半円よりも狭い領域に設けられている。この曲線部１１は、吊り下げた際に前傾した商品１００を保持する力を生じるように設けられる。すなわち、図１に示す２点破線の位置、これを本発明においては面中線イ、つまり、商品１００を吊り下げた際に胴部１０１が最も下を向いた位置における接面との接触線（さらに言い換えると、平面に商品１００を置いた際に平面と接する接触線に相当する。）を面中線イと称し、この面中線イと帯部１０の下縁１２との交点Ａを、均一な幅を有する単純形状の帯部に比べてより胴部１０１の上方に位置させるとともに、その交点Ａの両側において胴部１０の側面と滑らかに接触させることにより、商品１００を傾けた状態で保持させている。この結果、曲線部１１によって商品１００が帯部１０にしっかりと保持され、吊り下げ具１が取り付けられた商品１００は、図７に示すように、商品１００が前傾した状態で吊り下げ陳列される。また、面中線イで商品１００が保持されるため、曲線部１１は面中線イを中心として左右対称に設けられる。
【００１８】
帯部１０の上縁１３は下に凸となる略円弧状に切り欠かれている。この切欠き１４によって、帯部１０の上縁１３が胴部１０１の前面に接触する。帯部１０の上縁１３は例えば図９に示すように直線であっても差し支えなく、胴部１０１の前面から浮き上がるような曲線であっても差し支えない。しかし、切欠き１４によって形成される線が直線や浮き上がるような曲線であれば、帯部１０の上縁１３と胴部１０１の前面との間に隙間ができ、見栄えが悪くなったり、この隙間にほこりが溜まる結果となる。従って、上縁１３の切欠き１４は、胴部１０１の外面に沿う、例えば略円弧状などの形状が好ましく、胴部１０１の外面に沿う形状であればどのような形状であっても差し支えない。
【００１９】
この曲線部１１における幅は、その上縁１３と下縁１２の幅が最も狭いところである面中線イ上で商品１００の重量により耐えられる程度の幅があればよく、具体的には、面中線イおける帯部１０の幅は、上縁１３の切欠き１４の有無に関係なく、帯部１０の均一幅の１／５〜２／３程度である。
【００２０】
帯部１０の背面には、その下縁１２から帯部１０の一部が環の内側に折り返されて形成された折り返し片１５が備えられている。この折り返し片１５は必須のものではないが、この折り返し片１５が元に戻ろうとする力が胴部１０１の前面を曲線部１１に押し付ける。それだけでなく、折り返し片１５が直線部分を形成することで帯部１０の形状が変形し、胴部１０１を抱える力が強くなる結果、さらに吊り下げ時の安定性が増す。また、この折り返し片１５は帯部１０の内径を実質的に小さくする。このように、折り返し片１５の形成により、胴部１０１を保持する力が補強される。
【００２１】
吊り下げ具１は、上記したようにプラスチックシートなどのシート状物から作製されるが、このシート状物は上記したように吊り下げた商品１００が前屈でき、商品を吊り下げられるような強度があれば、その材質は特に問われることはない。例えば軽量な商品１００であれば厚みが数十乃至１００μｍ程度の紙を用いることもできるし、比較的重量のある商品１００であれば５００μｍ〜１ｍｍ程度の厚紙や可撓性のあるプラスチックシートが用いられる。また、折り曲げることにより吊り下げた商品１００が前屈させることができれば、ボール紙などの可撓性が小さく剛性の高い紙やプラスチックシートを用いてもよい。
【００２２】
上記したように本発明の吊り下げ具１は、円柱状の胴部１０１外径よりも大きな内径を有するほぼ均一幅をした環状の帯部１０を有し、この帯部１０の下縁１２に商品１００を吊り下げた際に商品１００を保持する力を生じさせる上縁方向に凸となった曲線部１１を帯部１０の下縁１２に備えているので、面中線イと曲線部１１との交点Ａにおいて商品１００がいわゆる下支えされることになる。その結果、帯部１０の内径が胴部１０１の外径より大きく作製されているにもかかわらず、多少の振動や衝撃によって商品１００が帯部１０から外れにくくなる。また、帯部１０の内径は胴部１０１の外径よりも大きく作製されているので、商品１００への取り付けも容易に行える。
【００２３】
また、帯部１０をたたむ、すなわち帯部１０を左右に長くなるように押しつぶすことができる。そうすることで、シートを扱うのと同じ取り扱いができ、予め帯部１０を環状に作製したとしても輸送コストの増大を招くことがない。
【００２４】
本発明の吊り下げ具１は、帯部１０を取り付けた商品１００が前傾するように吊下片２０を帯部１０に備えることができ、そして商品１００を前傾させた状態で商品１００を支える曲線部１１を環状の帯部１０の下縁１２に設けることができればよい。従って、本発明によるとこの２点を満足させる種々の実施形態が考えられる。
【００２５】
図８及び図９はそれぞれ本発明の別な実施形態である吊り下げ具１の正面図である。これらの例はそれぞれ商品１００の前傾を妨げないように工夫したものである。図８の吊り下げ具１は、図１に示すものとほぼ同様な形状であるが、吊下片２０の表示部分が大きく、くびれ部２３が幅狭の矩形状に作製されたものである。また、図９の吊り下げ具は、帯部１０の上縁１３に切欠き１４を設けることなく直線状にするとともに、折り目２５の一部に上に凸となった曲線状の切込み２２を設けたものである。このように折り目２５の一部として切込み２２を設けることにしてもよい。また、図示はしないが、吊下片２０の材質にもよるが折り目２５の代替として切込み２２のみを設けることにしても差し支えない。
【００２６】
図１０に示す吊り下げ具１は、くびれ部２３や折り目２５が設けられることなく吊下片２０の全体が幅狭の矩形状に作製されている。このように、吊下片２０を幅狭の矩形状にしても、商品１００を前傾させて吊り下げることができる。
【００２７】
図１１に示す吊り下げ具１は、２つの曲線部１１ａ，１１ｂを備えたものである。各曲線部１１ａ，１１ｂは面中線イを中心に左右対称に設けられている。この場合には、２つの曲線部１１ａ，１１ｂの交点（下に凸となった点）が面中線イ上に位置するが、その交点で胴部１０１を保持するというのではなく、２つの曲線部１１ａ，１１ｂを図に示す破線で延長した場合に面中線イ上で交差する点Ａで胴部１０１を保持する力を生じさせているものである。このように、面中線イを中心として左右対称でかつ面中線イ上で交差し、その点で商品１００を保持する力を生じる２つの曲線部１１ａ，１１ｂを設けてもよい。これにより左右のバランスがくずれることなく、商品１００を吊り下げられる。
【００２８】
このように、本発明の吊り下げ具１は、商品１００の胴部１０１の外径よりも大きく作製されたほぼ均一幅をした帯部１０の下縁１２に上縁１３方向に凸となった曲線部１１を設けることによって、きわめて簡単に円柱状をした商品１００を吊り下げ陳列することができる。また、帯部１０の内径は商品１００の胴部１０１外径よりも大きいので、吊り下げ具１を容易に取り付けられる。
【図面の簡単な説明】
【００２９】
【図１】本発明の一実施形態である吊り下げ具の斜視図である。
【図２】同上の吊り下げ具の正面図である。
【図３】同上の吊り下げ具の背面図である。
【図４】同上の吊り下げ具の側面図である。
【図５】同上の吊り下げ具の展開図である。
【図６】同上の吊り下げ具を商品へ装着した状態を示す側面図である。
【図７】同上の吊り下げ具が装着された商品を吊り下げた状態を示す側面図である。
【図８】本発明の別な実施形態である吊り下げ具の正面図である。
【図９】本発明のさらに別な実施形態である吊り下げ具の正面図である。
【図１０】本発明のさらに別な実施形態である吊り下げ具の正面図である。
【図１１】本発明のさらに別な実施形態である吊り下げ具の正面図である。
【符号の説明】
【００３０】
１  本発明の吊り下げ具
１０  帯部
１１  曲線部
１５  折り返し片
２０  吊下片
２２  前傾しやすくするための切込み
２３  くびれ部
２５  前傾しやすくするための折り目
【要約】
【課題】  円柱状の商品を吊り下げ陳列する際に、その作業性を高めるとともに商品の落下を確実に防止する吊り下げ具を提供する。
【解決手段】  略円柱状をした商品１００の胴部１０１が挿通されるほぼ均一幅を有する環状の帯部１０と前記帯部１０の上縁に備えられた吊下片２０を備えた吊り下げ具１において、前記吊下片２０を吊り下げられた商品１００の前傾が妨げられないように前記帯部１０に備えるとともに、前記帯部１０の内径を商品１００の胴部１０１よりも大きくし、吊り下げた商品を保持する力を発生させる上縁方向に凸となった曲線部１１を当該帯部１０の下縁１２に備える。
【選択図】図１【図１】
0004137988.tif 000002
【図２】
0004137988.tif 000003
【図３】
0004137988.tif 000004
【図４】
0004137988.tif 000005
【図５】
0004137988.tif 000006
【図６】
0004137988.tif 000007
【図７】
0004137988.tif 000008
【図８】
0004137988.tif 000009
【図９】
0004137988.tif 000010
【図１０】
0004137988.tif 000011
【図１１】
0004137988.tif 000012